(57)【要約】【課題】充電端子が設置された端子設置体に対しての取付けを簡単に行うことができ、且つ、型による一体成形が容易である充電端子の保護キャップを提供すること。【解決手段】本発明は、充電端子１６を保護するための保護キャップ２４において、充電端子１６に取り付けられるキャップ本体２６と、キャップ本体２６から延設された紐状部３６と、紐状部３６の先端に設けられ、充電端子１６が設置されている端子設置体１０に形成された係合穴４４に挿入され該係合穴４４と係合する係合部３８とを備え、係合部３８に周方向の変形を容易化する切欠き４２を形成し、切欠き４２を所定の方向において紐状部３６と重なる位置に形成したことを特徴とする。【選択図】図２
2007188835.tif 000002
【特許請求の範囲】
【請求項１】
充電端子（１６）を保護するための保護キャップ（２４）において、
前記充電端子（１６）に取り付けられるキャップ本体（２６）と、
前記キャップ本体（２６）から延設された紐状部（３６）と、
前記紐状部（３６）の先端に設けられ、前記充電端子（１６）が設置されている端子設置体（１０）に形成された係合穴（４４）に挿入され該係合穴（４４）と係合する係合部（３８）と
を備え、
前記係合部（３８）に周方向の変形を容易化する切欠き（４２）が形成されており、
前記切欠き（４２）が所定の方向において前記紐状部（３６）と重なる位置に形成されていることを特徴とする充電端子の保護キャップ。
【請求項２】
前記充電端子（１６）がバッテリ式作業機に設けられていることを特徴とする請求項１に記載の充電端子の保護キャップ。
【発明の詳細な説明】
【技術分野】
【０００１】
本発明は、バッテリ式作業機等における充電端子を水滴や塵埃から保護するための保護キャップに関するものである。
【背景技術】
【０００２】
バッテリ式の噴霧機や噴射型清掃機等のバッテリ式作業機においては、一般に、バッテリに充電を行うための充電端子が作業機本体の側面に設けられており、充電は、充電器のコネクタを充電端子に接続することで行われる。かかる充電端子は外部に露出しているため、これを水滴や塵埃等から保護する手段として、充電端子に密着ないしはカバーする型式の保護キャップが広く用いられている。
【０００３】
しかしながら、噴霧機等は屋外での作業に用いられるため、保護キャップを紛失するおそれが高い。そのため、下記の特許文献１に記載されているような保護キャップが提案されている。
【０００４】
特許文献１に記載の保護キャップは紐状部材が一体成形されており、この紐状部材の先端を、作業機本体（すなわち、充電端子が設けられている端子設置体）に固定するというものである。これにより、保護キャップが充電端子から外れても、作業機本体からは分離せず、紛失を防止することができる。
【特許文献１】特開２０００−２４３５０９号公報
【発明の開示】
【発明が解決しようとする課題】
【０００５】
上述した特許文献１に記載の保護キャップでは、紐状部材の先端を端子設置体に固定する手段としてビス、又は、周面に溝が形成された円筒形の係合部材を用いることとしている。ビスによる場合、ドライバを使用する必要があるため、固定作業に手間がかかる。一方、係合部材は紐状部材に一体成形されたものであり、これを端子設置体に設けられた係合穴に挿入し、係合部材の溝を係合穴の入口縁に係合させることで、固定作業が完了する。
【０００６】
しかしながら、このような係合部材を用いたとしても、係合部材を圧縮して外径を縮小化することは困難であるため、係合穴への係合部材の挿入や、係合穴の入口縁に対する溝の係合に手間がかかるという問題がある。
【０００７】
また、保護キャップの本体、紐状部材及び係合部材を合成樹脂等から一体成形する場合、係合部材の形状に起因して、型を用いた成形が困難であり、或いは高価な金型を使用する必要が生じる。
【０００８】
本発明は、上記事情に鑑みてなされたものであり、その目的は、充電端子が設置された端子設置体に対しての取付けを簡単に行うことができ、且つ、型による一体成形が容易である充電端子の保護キャップを提供することにある。
【課題を解決するための手段】
【０００９】
上記目的を達成するために、本発明は、充電端子（１６）を保護するための保護キャップ（２４）において、充電端子（１６）に取り付けられるキャップ本体（２６）と、キャップ本体（２６）から延設された紐状部（３６）と、紐状部（３６）の先端に設けられ、充電端子（１６）が設置されている端子設置体（１０）に形成された係合穴（４４）に挿入され該係合穴（４４）と係合する係合部（３８）とを備え、係合部（３８）に周方向の変形を容易化する切欠き（４２）を形成し、切欠き（４２）を所定の方向において紐状部（３６）と重なる位置に形成したことを特徴としている。
【００１０】
この構成においては、係合部（３８）の切欠き（４２）により、係合部（３８）を小さな力で縮径することができ、係合穴（４４）への係合部（３８）の挿入、係合が容易化される。また、切欠き（４２）を所定の方向において紐状部（３６）と重なる位置に形成したことで、型を使用して保護キャップ（２４）全体を一体成形する場合、型抜きを容易に行うことができる。
【００１１】
なお、本発明による保護キャップは、屋外で使用されることの多いバッテリ式作業機において使用されることが有効である。
【発明の効果】
【００１２】
上述したように、本発明によれば、簡単に係合部（３８）を係合穴（４４）に挿入し、係合させることができるので、保護キャップ（２４）の端子設置体（１０）への取付作業を簡単に且つ短時間に行うことができる。ドライバ等の工具も不要である。
【００１３】
また、型を使用して保護キャップ（２４）を製造する場合、型抜きが容易であることから、成形加工の手間、コストを大幅に低減することが可能となる。
【発明を実施するための最良の形態】
【００１４】
以下、図面を参照して本発明の好適な実施形態について詳細に説明する。
【００１５】
図１は、バッテリ式作業機であるバッテリ式噴霧機の本体（端子設置体）１０の下部を示す斜視図である。噴霧機本体１０は、薬液を貯留するタンク１２からなっている。図面では明瞭に示していないが、タンク１２の下部のカバー１４で覆われている部分には、バッテリやポンプ、ポンプを駆動する電動機が収容されるスペースが形成されている。カバー１４の一方の側面には、バッテリの充電を行うための充電端子１６が、そのコネクタ差込部１８を外部に突出させた状態で設置されている。コネクタ差込部１８は、図２に明示するように、コネクタ差込口２０が形成されており、このコネクタ差込口２０に外部充電器の雄型コネクタ（図示しない）を差し込むことで、充電器が充電端子１６に接続されることとなる。
【００１６】
図１〜図３において、符号２４は、充電端子１６のコネクタ差込部１８を水滴や塵埃等から保護するための保護キャップを示している。保護キャップ２４は、弾性、耐薬品性及びシール性に富む合成樹脂ないしはゴム等の軟質材料から作られた一体成形品であり、主として充電が行われていない時に使用される。
【００１７】
保護キャップ２４は、コネクタ差込部１８に取り付けられるキャップ本体２６を備えている。キャップ本体２６は、図２及び図３に明示するように、略直方体形状のベース部２８と、ベース部２８の一面から突設されコネクタ差込口２０，２２に挿入されるインサート部３０，３２とを有している。インサート部３０，３２の断面はコネクタ差込口２０，２２の断面よりも若干大きく、インサート部３０，３２をコネクタ差込口２０，２２に押し込むことで、インサート部３０，３２の弾性変形によりコネクタ差込口２０，２２は実質的に液密に塞がれ、コネクタ差込部１８内にある金属端子部（図示しない）が水滴等から保護される。また、インサート部３０，３２全体をコネクタ差込口２０，２２に完全に差し込んだ状態では、ベース部２８の面がコネクタ差込部１８の前面に密着し、これによっても防水・防塵効果が得られる。
【００１８】
キャップ本体２６のベース部２８の他方の面には、突起がにぎり部３４として一体成形されている。このにぎり部３４を使用者が指で把持することで、キャップ本体２６のコネクタ差込部１８に対する装着、取外しを容易化することができる。
【００１９】
図２及び図３に明示するように、キャップ本体２６のベース部２８の下面からは、前後左右に湾曲可能となっている紐状部３６が延設されている。紐状部３６の自由端（図面では下端）には、噴霧機本体１０の充電端子１６近傍に保護キャップ２４を固定するための係合部３８が形成されている。係合部３８は、紐状部３６の自由端からインサート部３０，３２の軸線と平行に延びるロッド部４０の中間位置に設けられている。係合部３８は、その外周面がインサート部３０，３２の差込方向に沿って縮径する先細り形状ないしは円錐形状となっている。また、係合部３８のキャップ本体２６側の部分には切欠き４２が形成されている。
【００２０】
この係合部３８は、噴霧機本体１０のカバー１４に形成された係合穴４４に挿入され、係合穴４４の入口縁４６に係合部３８の大径部分が係合することで、係合部３８、ひいては保護キャップ２４全体が噴霧機本体１０から外れないようになっている。ここで、係合部３８の先端の最小径は係合穴４４の入口の径よりも小さくなっており、係合部３８の後端の最大径は係合穴４４の入口の径よりも大きくなっている。係合部３８の先端側が係合穴４４の入口よりも小さく、係合部３８の外周面が略円錐面となっているため、係合部３８を係合穴４４にあてがうだけで、係合部３８と係合穴４４とを正確に芯合わせすることができる。そして、係合部３８には切欠き４２が形成されているため、芯合わせした状態から係合部３８を係合穴４４に押し込んでいくと、係合部３８の円錐面が係合穴４４の入口縁４６から反力を受け、係合部３８は周方向に徐々に圧縮され、係合部３８の外径が縮小されていく。従って、係合部３８全体を容易に入口縁４６を超えて係合穴４４に挿入することができる。係合部３８全体が係合穴４４に挿入されると、弾性復元力により係合部３８は元の形状に復帰し、係合部３８の後端が係合穴４４の入口縁４６に係合し、係合部３８を外部に引き出すことが困難な状態、すなわち保護キャップ２４を噴霧機本体１０に取り付けた状態となる。
【００２１】
なお、係合部３８の小径側の端部から延びているロッド部４０は、係合部３８を係合穴４４に導くガイドとして機能するものである。
【００２２】
係合部３８が係合穴４４に係合され、保護キャップ２４が噴霧機本体１０に取り付けられ、キャップ本体２６がコネクタ差込部１８に装着された状態において、充電が必要な場合には、紐状部３６が湾曲可能となっているため、キャップ本体２６のにぎり部３４を把持して引っ張れば、簡単にキャップ本体２６をコネクタ差込部１８から取り外すことができ、充電器のコネクタをコネクタ差込部１８に接続することができる。
【００２３】
なお、係合部３８の切欠き２４の位置は、本実施形態では、インサート部３０，３２及びロッド部４０の軸線に沿う方向において紐状部３６が重なる位置、すなわち当該軸線に沿って見た場合に、切欠き４２と紐状部３６が重なって見える位置となっている。また、切欠き４２の幅は紐状部３６の幅よりも大きくされている。この形状では、型を使用して保護キャップ２４を製造しようとした場合、型抜きの障害となるものがなく、保護キャップ２４全体を射出成形等の手法で容易に一体成形することが可能となる。
【００２４】
以上、本発明の好適な実施形態について詳細に説明したが、本発明は上記実施形態に限定されないことは言うまでもない。
【００２５】
例えば、本発明は、防水や防塵の必要性が高い、屋外で使用されるバッテリ式噴霧機等において特に有効であるが、室内用のバッテリ式作業機や、充電端子を外面に有する他の装置類にも適用可能である。
【００２６】
また、上記実施形態では切欠き４２は係合部３８の一カ所だけに形成されているが、使用する材料の特性によっては複数箇所に形成してもよい。
【図面の簡単な説明】
【００２７】
【図１】本発明による保護キャップが取り付けられたバッテリ式噴霧機本体の下部を示す斜視図である。
【図２】本発明による保護キャップを詳細に示す斜視図である。
【図３】本発明による保護キャップを、図２とは反対側から見た状態で示す斜視図である。
【符号の説明】
【００２８】
１０…噴霧機本体、１２…タンク、１４…カバー、１６…充電端子、１８…コネクタ差込部、２０，２２…コネクタ差込口、２４…保護キャップ、２６…キャップ本体、２８…ベース部、３０，３２…インサート部、３４…にぎり部、３６…紐状部、３８…係合部、４０…ロッド部、４４…係合穴、４６…入口縁。
【図１】
2007188835.tif 000003
【図２】
2007188835.tif 000004
【図３】
2007188835.tif 000005